(57)【要約】【課題】  マイクロホンの向きを用途に応じた向きに合わせるだけで、自動的に適正な録音モードが選択されて收音可能となる。【解決手段】  第１のマイクロホン２３及び第２のマイクロホン２４を有するマイクユニット２０を、收音装置本体１１に対して移動自在に取付ける。收音装置１０は、マイクユニット２０の收音装置本体１１に対する位置を例えばスイッチを用いて検出する。そして、この検出されたマイクユニット２０の位置に応じて第１のマイクロホン２３及び第２のマイクロホン２４の中から使用するマイクロホンを選択して、モノラルモードでの收音あるいはステレオモードでの收音を可能にする。【選択図】      図２
2006033615.tif 000002
【特許請求の範囲】
【請求項１】
收音装置本体と、
第１のマイクロホン及び第２のマイクロホンを有し、前記收音装置本体に移動自在に取付けられたマイクユニットと、
このマイクユニットの前記收音装置本体に対する位置を検出する位置検出手段と、
この位置検出手段によって検出された前記マイクユニットの位置に応じて前記第１のマイクロホン及び前記第２のマイクロホンの中から使用するマイクロホンを選択するマイクロホン選択手段と、
を具備したことを特徴とする收音装置。
【請求項２】
前記第１のマイクロホン及び前記第２のマイクロホンは、いずれも指向性マイクロホンであることを特徴とする請求項１に記載の收音装置。
【請求項３】
前記マイクユニットは、前記收音装置本体に対して回動自在に保持されていることを特徴とする請求項１に記載の收音装置。
【請求項４】
前記マイクユニットは、前記收音装置本体に、前記第１のマイクロホンと前記第２のマイクロホンの各中心同士を結ぶ線が前記收音装置本体の長手方向と略平行である第１の位置と、前記第１のマイクロホンと前記第２のマイクロホンの各中心同士を結ぶ線が前記收音装置本体の長手方向と平行な線と略直交する第２の位置との間で回動自動に保持されていることを特徴とする請求項３に記載の收音装置。
【請求項５】
前記マイクロホン選択手段は、前記マイクユニットが前記第１の位置にあるときには前記第１のマイクロホンまたは前記第２のマイクロホンのいずれか一方を選択し、前記マイクユニットが前記第２の位置にあるときには前記第１のマイクロホン及び前記第２のマイクロホンの双方を選択することを特徴とする請求項４に記載の收音装置。
【請求項６】
前記マイクロホン選択手段は、前記マイクユニットが前記第１の位置にあるときには、前記第１のマイクロホンまたは前記第２のマイクロホンのうち目標音源に向いている側のマイクロホンを選択することを特徴とする請求項５に記載の收音装置。
【請求項７】
前記マイクユニットは、前記收音装置本体に、該收音装置本体の長手方向と略平行な軸を中心に、前記第１のマイクロホンまたは前記第２のマイクロホンのいずれか一方が前記收音装置本体の一面に設けられた表示部側を向いている第１の位置と、この第１の位置から略９０度回動させた第２の位置との間で回動自動に保持されていることを特徴とする請求項３に記載の收音装置。
【請求項８】
前記マイクロホン選択手段は、前記マイクユニットが前記第１の位置にあるときには前記第１のマイクロホンまたは前記第２のマイクロホンのいずれか一方を選択し、前記マイクユニットが前記第２の位置にあるときには前記第１のマイクロホン及び前記第２のマイクロホンの双方を選択することを特徴とする請求項７に記載の收音装置。
【請求項９】
前記マイクユニットが前記第１の位置にあるときにはモノラルモードで收音した音声の記録を行い、前記マイクユニットが前記第２の位置にあるときにはステレオモードで收音した音声の記録を行う記録手段を具備したことを特徴とする請求項５または８に記載の收音装置。
【発明の詳細な説明】
【技術分野】
【０００１】
本発明は、ステレオマイクロホンを有したＩＣレコーダ，マイクロカセットレコーダ等の收音装置に関する。
【背景技術】
【０００２】
ステレオマイクロホンを有し、收音した音声をステレオ録音できるＩＣレコーダ，マイクロカセットレコーダ等の收音装置がある。この種の收音装置は、通常、ステレオ録音を行うステレオモードとモノラル録音を行うモノラルモードとの切換えが可能となっている。そして、例えば会議等を録音する場合にはステレオモードを選択し、マイクロホンを目標音源に対して左右に向けることで臨場感溢れる録音を行い、インタビュー等を録音する場合にはモノラルモードを選択し、マイクロホンを目標音源に向けてより鮮明な録音を行う、というように、ユーザが適宜使い分けるようになっている。
【０００３】
このような收音装置に関する従来技術として、指向性を有する第１のマイクロホンと指向性のない第２のマイクロホンとが収納されたマイク部を、装置本体に対して収納された収納位置と装置本体より突出した突出位置とに亘って移動可能とし、収納位置と突出位置とを切換えることによって、マイクロホンの感度及び指向性を切換えるようにした技術は既に知られていた（例えば、特許文献１参照）。
【特許文献１】特開２００２−３３５５９４公報
【発明の開示】
【発明が解決しようとする課題】
【０００４】
しかしながら、ステレオ録音とモノラル録音とを切換え可能な従来の收音装置においては、上述したような従来技術では解決できない次のような技術的課題があった。
【０００５】
すなわち、従来のこの種の收音装置には、録音モード切換用のスイッチが設けられており、ユーザがこのスイッチを手動で切換え操作することによって、ステレオモードで録音するか、モノラルモードで録音するかを選択していた。また、收音装置の向きを、ステレオ録音を行う場合にはマイクロホンが目標音源に対して左右に向くように、モノラル録音を行う場合にはマイクロホンが目標音源に向くようにそれぞれ調整していた。
【０００６】
このため、ユーザが用途に応じてスイッチを手動で切換え操作して録音モードを選択するとともに、マイクロホンの向きをその状況に応じた向きに合わせて收音を行う必要があり、手間がかかっていた上、使い勝手も悪かった。また、現在どちらの録音モードが選択されているのかが視覚的に分かり難いので、録音モードとマイクロホンの向きとを間違えて使用してしまうことがあった。
【０００７】
本発明はこのような事情に基づいてなされたもので、その目的とするところは、マイクロホンの向きを用途に応じた向きに合わせることで、自動的に適正な録音モードが選択されて收音することができ、手間がかからず使い勝手のよい收音装置を提供しようとするものである。
【課題を解決するための手段】
【０００８】
本発明の收音装置は、第１のマイクロホン及び第２のマイクロホンを有し、收音装置本体に移動自在に取付けられたマイクユニットと、このマイクユニットの收音装置本体に対する位置を検出する位置検出手段と、この位置検出手段によって検出されたマイクユニットの位置に応じて第１のマイクロホン及び第２のマイクロホンの中から使用するマイクロホンを選択するマイクロホン選択手段とを備えたものである。
【０００９】
かかる手段を講じたことにより、その一実施形態として例えば、位置検出手段によって検出されたマイクユニットの位置がモノラル録音に適した位置であれば第１のマイクロホンまたは第２のマイクロホンのいずれか一方を選択してモノラル録音を行い、位置検出手段によって検出されたマイクユニットの位置がステレオ録音に適した位置であれば第１のマイクロホン及び第２のマイクロホンの双方を選択してステレオ録音を行うことが可能となる。
【００１０】
この発明において、第１のマイクロホン及び第２のマイクロホンは、いずれも指向性マイクロホンであることが望ましい。
【００１１】
また、マイクユニットは、收音装置本体に対して回動自在に保持されているものが都合がよい。
【００１２】
すなわちマイクユニットは、收音装置本体に、第１のマイクロホンと第２のマイクロホンの各中心同士を結ぶ線が收音装置本体の長手方向と略平行である第１の位置と、第１のマイクロホンと第２のマイクロホンの各中心同士を結ぶ線が收音装置本体の長手方向と平行な線と略直交する第２の位置との間で回動自動に保持されていることが望ましい。
【００１３】
この発明において、マイクロホン選択手段は、マイクユニットが第１の位置にあるときには第１のマイクロホンまたは第２のマイクロホンのいずれか一方を選択し、マイクユニットが第２の位置にあるときには第１のマイクロホン及び前記第２のマイクロホンの双方を選択すると効果的である。
【００１４】
また、マイクロホン選択手段は、マイクユニットが第１の位置にあるときには、第１のマイクロホンまたは第２のマイクロホンのうち目標音源に向いている側のマイクロホンを選択することが望ましい。
【００１５】
また本発明は、マイクユニットが、收音装置本体に、該收音装置本体の長手方向と略平行な軸を中心に、第１のマイクロホンまたは第２のマイクロホンのいずれか一方が收音装置本体の一面に設けられた表示部側を向いている第１の位置と、この第１の位置から略９０度回動させた第２の位置との間で回動自動に保持されているものも含む。
【００１６】
この発明において、マイクロホン選択手段は、やはり、マイクユニットが第１の位置にあるときには第１のマイクロホンまたは第２のマイクロホンのいずれか一方を選択し、マイクユニットが第２の位置にあるときには第１のマイクロホン及び第２のマイクロホンの双方を選択することが望ましい。
【００１７】
また本発明は、マイクユニットが第１の位置にあるときにはモノラルモードで收音した音声の記録を行い、マイクユニットが第２の位置にあるときにはステレオモードで收音した音声の記録を行う記録手段を備えるとよい。
【発明の効果】
【００１８】
かかる手段を講じた本発明によれば、マイクロホンの向きを用途に応じた向きに合わせることで、自動的に適正な録音モードが選択されて收音することができ、手間がかからず使い勝手のよい收音装置を提供できる。
【発明を実施するための最良の形態】
【００１９】
以下、本発明の実施の形態を図面を用いて説明する。
【００２０】
（第１の実施形態）
始めに、本発明の第１の実施の形態について説明する。なお、この実施の形態は、收音装置の１例であるＩＣレコーダに本発明を適用した場合である。
【００２１】
図１〜図３は第１の実施の形態におけるＩＣレコーダ１０の概略外観図であり、図１は正面右側から見た斜視図、図２は正面図、図３は背面図である。
【００２２】
本実施の形態のＩＣレコーダ１０には、装置本体１１の正面に、液晶表示器１２と、録音ボタン，再生ボタン，停止ボタン，早送りボタン，早戻しボタン等の種々の操作ボタンが配置された操作部１３とが設けられている。また、装置本体１１の背面上部には、マイクユニット２０が移動自在に取付けられている。このマイクユニット２０は、円筒状のマイク部２１と該マイク部２１の中央から一方に延出された舌片部２２とからなり、マイク部２１の一方の端部に第１のマイクロホン２３が設けられ、他方の端部に第２のマイクロホン２４が設けられている。第１のマイクロホン２３と第２のマイクロホン２４は、いずれも指向性マイクロホンである。
【００２３】
舌片部２２の先端には回転軸２５が取付けられており、舌片部２２は、上記回転軸２５を中心に、装置本体１１の背面上部にその背面側から見て略逆Ｌ字状に切欠された切欠部１４の面に沿って回動自在に支持されている。そして、舌片部２２の一辺２２ａが、前記切欠部１４の、装置本体１１の長手方向に対して直交する方向の段部１４ａに当接するまでマイクユニット２０を回動させると、マイク部２１が装置本体１１の正面側から見て右側面部に位置し、第１のマイクロホン２３と第２のマイクロホン２４の各中心同士を結ぶ線が装置本体１１の長手方向と略平行となる。このときのマイク部２１の位置を第１の位置とする。
【００２４】
一方、舌片部２２の他辺２２ｂが、前記切欠部１４の、装置本体１１の長手方向と平行な方向の段部１４ｂに当接するまでマイクユニット２０を回動させると、マイク部２１が装置本体１１の上面部に位置し、第１のマイクロホン２３と第２のマイクロホン２４の各中心同士を結ぶ線が装置本体１１の長手方向と平行な線と略直交する。このときのマイク部２１の位置を第２の位置とする。因みに、装置本体１１の上面部は、マイク部２１がその面に沿って回動するように曲面になっている。
【００２５】
前記回転軸２５は、装置本体１１の内部に延出されている。そして、その先端部には、装置本体１１に内蔵されたスイッチ１５の操作子２６が一体的に取付けられている。操作子２６は、図４に示すように、マイクユニット２０のマイク部２１が第１の位置に位置決めされた際にはスイッチ１５をオフし、図５に示すように、同マイク部２１が第２の位置に位置決めされた際にはスイッチ１５をオンする。ここに、スイッチ１５は、マイクユニット２０の装置本体１１に対する位置を検出する位置検出手段を構成する。
【００２６】
図６は本実施の形態におけるＩＣレコーダ１０の電気的構成を示したブロック図である。すなわちＩＣレコーダ１０は、前記表示器１２、操作部１３、第１及び第２のマイクロホン２３，２４及びスイッチ１５の他、一対のマイクアンプ（ＡＭＰ）３１ａ，３１ｂ、低域通過フィルタ（ＬＰＦ）３２ａ，３２ｂ、アナログ／デジタル変換器（Ａ／Ｄ）３３ａ，３３ｂ、デジタル／アナログ変換器（Ｄ／Ａ）３４ａ，３４ｂ、低域通過フィルタ（ＬＰＦ）３５ａ，３５ｂ、パワーアンプ（ＡＭＰ）３６ａ，３６ｂ及びスピーカ３７ａ，３７ｂと、デジタル信号処理部（ＤＳＰ）３８と、主制御部（ＣＰＵ）３９と、内蔵メモリ４０と、前記表示器１２の駆動回路４１と、記録媒体４２とによって構成されている。
【００２７】
前記スイッチ１５は、第２のマイクロホン２４とマイクアンプ３１ｂとの間に介挿されており、オン状態のときには第２のマイクロホン２４とマイクアンプ３１ｂとを接続し、オフ状態のときには第２のマイクロホン２４とマイクアンプ３１ｂとを切り離すようになっている。
【００２８】
マイク部２１の両端に設けられた第１及び第２のマイクロホン２３，２４のうち、一方の第１のマイクロホン２３に入力された音声信号は、電気信号に変換され、マイクアンプ３１ａによって増幅される。そして増幅された信号は、低域通過フィルタ３２ａによって不要な高周波成分が除去された後、アナログ／デジタル変換器３３ａでデジタル信号に変換され、デジタル信号処理部３８に入力されるようになっている。また、他方の第２のマイクロホン２４に入力された音声信号は、スイッチ１５がオンの場合に限り電気信号に変換され、マイクアンプ３１ｂによって増幅される。そして増幅された信号は、低域通過フィルタ３２ｂによって不要な高周波成分が除去された後、アナログ／デジタル変換器３３ｂでデジタル信号に変換され、デジタル信号処理部３８に入力されるようになっている。
【００２９】
ここに、第１及び第２のマイクロホン２３，２４からデジタル信号処理部３８までの信号系は、位置検出手段（スイッチ１５）によって検出されたマイクユニット２０の位置に応じて第１のマイクロホン２３及び第２のマイクロホン２４の中から使用するマイクロホンを選択するマイクロホン選択手段を構成する。具体的には、マイクユニット２０が第１の位置にあるときには、スイッチ１５がオフされるので第１のマイクロホン２３及び第２のマイクロホン２４のうち一方の第１のマイクロホン２３を選択し、マイクユニット２０が第２の位置にあるときには、スイッチ１５がオンされるので第１のマイクロホン２３及び第２のマイクロホン２４の双方を選択するように構成されている。
【００３０】
デジタル信号処理部３８は、録音時には主制御部３９に制御されて、アナログ／デジタル変換器３３ａ，３３ｂでそれぞれデジタル変換された音声信号を符号化し、その符号化された音声信号を記録媒体４２に記録する。すなわち、マイクユニット２０が第１の位置にあるときには、第１のマイクロホン２３だけが選択されているので、この第１のマイクロホン２３で收音した音声の記録、つまりはモノラルモードで收音した音声の記録を行い、マイクユニット２０が第２の位置にあるときには、第１のマイクロホン２３と第２のマイクロホン２４の双方が選択されているので、これら第１及び第２のマイクロホン２３，２４で收音した音声の記録、つまりはステレオモードで收音した音声の記録を行う（記録手段）。
【００３１】
なお、主制御部３９は、スイッチ１５のオン／オフの状態を検出しており、モノラルモードで記録を行なうかステレオモードで行うかを決定している。
【００３２】
また、デジタル信号処理部３８は、再生時には主制御部３９に制御されて、記録媒体４２に記録されている符号化された音声信号を復号化し、その復号化された音声信号をデジタル／アナログ変換器３４ａ，３４ｂに出力する。これらデジタル／アナログ変換器３４ａ，３４ｂでアナログ信号に変換された音声信号は、それぞれ低域通過フィルタ３５ａ，３５ｂで不要な量子化雑音が除去された後、パワーアンプ３６ａ，３６ｂで増幅され、スピーカ３７ａ，３７ｂから音声として出力される。
【００３３】
このように構成された本実施の形態のＩＣレコーダ１０においては、マイクユニット２０を装置本体１１の正面からみて時計方向に回動させてマイク部２１を第１の位置、つまりは装置本体１１の右側面部に位置させた場合には、スイッチ１５がオフするので、装置本体１１の上面側に指向性を有する第１のマイクロホン２３だけが選択されて、モノラルモードでの音声記録が行われる。一方、マイクユニット２０を逆方向に回動させてマイク部２１を第２の位置、つまりは装置本体１１の上面部に位置させた場合には、スイッチ１５がオンするので、装置本体１１の両側面側にそれぞれ指向性を有する第１及び第２のマイクロホン２３，２４が選択されて、ステレオモードでの音声記録が行われる。
【００３４】
一般に、モノラルモードはインタビュー等の録音に適している。そして、例えばインタビューの際にはマイクロホンをインタビューの相手側すなわち目標音源に向けることで、より鮮明な録音を行おうとする。そこで、本実施の形態のＩＣレコーダ１０を用いてインタビューを行うユーザは、マイク部２１を第１の位置に移動させた後、装置本体１１の上面をインタビューの相手に向けて録音を行えばよい。こうすることにより、目標音源を向いている第１のマイクロホン２３が選択されてモノラルモードでの收音が行われるので、鮮明な録音を実現することができる。
【００３５】
一方、ステレオモードは会議等の録音に適している。そして、例えば会議を録音する際にはマイクロホンを議場の左右すなわち目標音源に対して左右に向けることで、臨場感溢れる録音を行おうとする。そこで、本実施の形態のＩＣレコーダ１０を用いて会議の録音を行うユーザは、マイク部２１を第２の位置に移動させた後、装置本体１１の正面を手前側、つまりは液晶表示器１２の表示内容を自身が確認できかつ操作部１３を操作しやすい向きに置いて録音を行えばよい。こうすることにより、目標音源に対して左右を向いている第１のマイクロホン２３と第２のマイクロホン２４の双方が選択されてステレオモードでの收音が行われるので、臨場感溢れる録音を実現することができる。
【００３６】
このように本実施の形態によれば、マイクユニット２０のマイク部２１の向きを用途に応じた向きに合わせることで、自動的に適正な録音モードが選択されて收音することができるので、手間がかからず使い勝手のよいＩＣレコーダ１０を提供することができる。また、マイク部２１が第１の位置にあるときにはモノラルモードが選択されており、第２の位置にあるときにはステレオモードが選択されているので、現在どちらの録音モードが選択されているのかが視覚的に分かり易いという効果も奏する。
【００３７】
（第２の実施形態）
次に、本発明の第２の実施の形態について説明する。なお、この実施の形態も、收音装置の１例であるＩＣレコーダに本発明を適用した場合であり、第１の実施の形態と共通する部分には同一符号を付して、詳しい説明を省略する。
【００３８】
図７〜図８は第２の実施の形態におけるＩＣレコーダ１０の概略外観図であり、図７は正面右側から見た斜視図、図８は上面図、図９は要部を断面とした正面図である。
【００３９】
本実施の形態では、ＩＣレコーダ１０における装置本体１１の上面部に、マイクユニット５０が移動自在に設けられている。このマイクユニット５０は円筒状のマイク部５１と該マイク部５１の中央から一方に延出された回転軸５２とからなり、マイク部５１の一方の端部に第１のマイクロホン５３が設けられ、他方の端部に第２のマイクロホン５４が設けられている。第１のマイクロホン５３と第２のマイクロホン５４は、いずれも指向性マイクロホンである。
【００４０】
回転軸５２は、装置本体１１の上面略中央に穿設された孔６１を貫通しており、装置本体１１の内面側に一体的に取付けられた抜け防止用のカム６２によって、装置本体１１の長手方向と略平行な軸を中心に回転自在に支持されている。そして、第２のマイクロホン５４が装置本体１１の液晶表示器１２等が設けられている正面側を向くようにマイクユニット５０を回動させると、図１０（ａ）に示すように、カム６２の回動が規制部材６３によって規制されて、第１のマイクロホン５３と第２のマイクロホン５４の各中心を結ぶ線が装置本体１１の正面から背面を結ぶ鉛直な線と略平行となる。このときのマイク部５１の位置を第１の位置とする。
【００４１】
一方、この第１の位置からマイクユニット５０を装置本体１１の上面側からみて反時計方向に略９０度回動させて、第１のマイクロホン５３と第２のマイクロホン５４がそれぞれ装置本体１１の左右両側面を向くようにすると、図１０（ｂ）に示すように、カム６２の回動が規制部材６３によって規制されて、第１のマイクロホン５３と第２のマイクロホン５４の各中心を結ぶ線が装置本体１１の正面から背面を結ぶ鉛直な線と略直交する。このときのマイク部５１の位置を第２の位置とする。
【００４２】
前記回転軸５２は、その先端部に、装置本体１１に内蔵されたスイッチ１５の操作子５５が一体的に取付けられている。操作子５５は、図１１及び図１２に示すように、マイクユニット５０のマイク部５１を第１の位置に位置決めした際にはスイッチ１５をオフし、図９及び図１３に示すように、同マイク部５１を第２の位置に位置決めした際にはスイッチ１５をオンする。ここに、スイッチ１５は、マイクユニット５０の装置本体１１に対する位置を検出する位置検出手段を構成する。
【００４３】
この第２の実施の形態におけるＩＣレコーダ１０の電気的構成は、図６に示した第１の実施の形態の構成と同一である。すなわち、スイッチ１５は、第２のマイクロホン５４とマイクアンプ３１ｂとの間に介挿されており、オン状態のときには第２のマイクロホン５４とマイクアンプ３１ｂとを接続し、オフ状態のときには第２のマイクロホン５４とマイクアンプ３１ｂとを切り離すようになっている。
【００４４】
ここに、第１及び第２のマイクロホン５３，５４からデジタル信号処理部３８までの信号系は、位置検出手段（スイッチ１５）によって検出されたマイクユニット５０の位置に応じて第１のマイクロホン５３及び第２のマイクロホン５４の中から使用するマイクロホンを選択するマイクロホン選択手段を構成する。具体的には、マイクユニット５０が第１の位置にあるときには、スイッチ１５がオフされるので第１のマイクロホン５３を選択し、マイクユニット５０が第２の位置にあるときには、スイッチ１５がオンされるので第１のマイクロホン５３及び第２のマイクロホン５４の双方を選択するように構成されている。
【００４５】
このように構成された本実施の形態のＩＣレコーダ１０においては、マイクユニット２０を装置本体１１の上面からみて時計方向に回動させてマイク部５１を第１の位置、つまりは第２のマイクロホン５４が装置本体１１の液晶表示器１２が設けられている面側に位置するようにした場合には、スイッチ１５がオフするので、装置本体１１の背面側に指向性を有する第１のマイクロホン５３だけが選択されて、モノラルモードでの音声記録が行われる。一方、マイクユニット５０を逆方向に略９０度回動させてマイク部５１を第２の位置に位置するようにした場合には、スイッチ１５がオンするので、装置本体１１の両側面側にそれぞれ指向性を有する第１及び第２のマイクロホン５３，５４が選択されて、ステレオモードでの音声記録が行われる。
【００４６】
したがって、この第２の実施の形態においても、ユーザは、ＩＣレコーダ１０を用いてインタビューを行う際にはマイク部５１を第１の位置に移動させた後、装置本体１１の背面をインタビューの相手に向けて録音を行えばよい。こうすることにより、目標音源を向いている第１のマイクロホン５３が選択されてモノラルモードでの收音が行われるので、鮮明な録音を実現することができる。この場合、装置本体１１の正面は手前側を向いているので、ユーザは液晶表示器１２の表示内容を確認しながら録音することができる。
【００４７】
また、ＩＣレコーダ１０を用いて会議を録音する際にはマイク部５１を第２の位置に移動させた後、モノラル録音の場合と同様に装置本体１１の正面を手前側にして録音を行えばよい。こうすることにより、目標音源に対して左右を向いている第１のマイクロホン５３と第２のマイクロホン５４の双方が選択されてステレオモードでの收音が行われるので、臨場感溢れる録音を実現することができる。
【００４８】
したがって、この第２の実施のおいても第１の実施の形態と同様な作用効果を奏することができる。
【００４９】
なお、この発明は前記第１及び第２実施形態そのままに限定されるものではなく、実施段階ではその要旨を逸脱しない範囲で構成要素を変形して具体化できる。
【００５０】
例えば、前記第１の実施の形態においては、マイクユニット２０を、装置本体１１の正面側から見て右側面側である第１の位置と装置本体１１の上面側である第２の位置との間で移動自在としたが、第１の位置を装置本体１１の正面側から見て左側面側としてもよい。この場合、マイクユニット２０が第１の位置に位置決された際に選択されるマイクロホンは、装置本体１１の上面側、つまりは目標音源を向いた第２のマイクロホン２４とする。
【００５１】
また、マイクユニット２０の装置本体１１に対する回動範囲を、装置本体１１の正面側から見て右側面側から左側面側までの略１８０度とし、左右双方の側面の位置をいずれも第１の位置として、マイクユニット２０が右側面部に位置するときには第１のマイクロホン２３を選択し、左側面部に位置するときには第２のマイクロホン２４を選択するようにしてもよい。こうすることにより、モノラルモードでの收音の際には左右どちらの方向でもよいので回動させて、第１のマイクロホン２３と第２のマイクロホン２４の各中心同士を結ぶ線が装置本体１１の長手方向と略平行にすればよいので、より一層使い勝手を向上させることができる。
【００５２】
また、前記第１の実施の形態では、装置本体１１の背面に逆Ｌ字状の切欠部１４を形成し、その段部１４ａ，１４ｂにマイクユニット２０の舌片部２２が当接することでマイクユニット２０の回動範囲を規制したが、回動範囲を規制する構造はこれに限定されるものではなく、例えば、操作子２６の回動範囲を規制することで、マイクユニット２０が第１の位置と第２の位置との間を回動自在とするようにしてもよい。
【００５３】
また、前記第２の実施の形態においては、マイクユニット５０の回動範囲を９０度に規制したが、１８０度、あるいは３６０度回動可能とし、いずれか一方のマイクロホン５３または５４が液晶表示器１２の側を向いている向きを第１の向きとして、液晶表示器１２の側を向いていない方のマイクロホンを選択し、モノラルモードでの録音を行うようにしてもよい。また、マイクユニット５０の回動方向を第２の実施の形態と逆方向にしてもよいのは言うまでもないことである。
【００５４】
さらに、この発明は、ＩＣレコーダ１０に限定されるものではなく、マイクロカセットレコーダなど、ステレオマイクロホンを有した收音装置全般に適用することができる。
【００５５】
また、前記実施形態に開示されている複数の構成要素の適宜な組合せにより種々の発明を形成することができる。例えば、実施形態に示される全構成要素から幾つかの構成要素を削除してもよい。さらに、異なる実施形態に亘る構成要素を組合わせてもよい。
【図面の簡単な説明】
【００５６】
【図１】本発明の第１の実施の形態であるＩＣレコーダの正面右側から見た斜視図。
【図２】同ＩＣレコーダの正面図。
【図３】同ＩＣレコーダの背面図。
【図４】同ＩＣレコーダのマイクユニットが第１の位置にあるときの状態を説明する図。
【図５】同ＩＣレコーダのマイクユニットが第２の位置にあるときの状態を説明する図。
【図６】同ＩＣレコーダ１０の電気的構成を示したブロック図。
【図７】本発明の第２の実施の形態であるＩＣレコーダの正面右側から見た斜視図。
【図８】同ＩＣレコーダの上面図。
【図９】同ＩＣレコーダの要部を断面とする正面図。
【図１０】同ＩＣレコーダが有するカムの動作を説明する図。
【図１１】同ＩＣレコーダのマイクユニットが第１の位置にあるときの状態を説明する要部断面図。
【図１２】同ＩＣレコーダのマイクユニットが第１の位置にあるときの状態を説明する上面図。
【図１３】同ＩＣレコーダのマイクユニットが第２の位置にあるときの状態を説明する上面図。
【符号の説明】
【００５７】
１０…ＩＣレコーダ、１１…装置本体、１２…液晶表示器、１３…操作部、１５…スイッチ、２０，５０…マイクユニット、２１，５１…マイク部、２３，５３…第１のマイクロホン、２４，５４…第２のマイクロホン、３８…デジタル信号処理部、３９…主制御部、４２…記録媒体。
【図１】
2006033615.tif 000003
【図２】
2006033615.tif 000004
【図３】
2006033615.tif 000005
【図４】
2006033615.tif 000006
【図５】
2006033615.tif 000007
【図６】
2006033615.tif 000008
【図７】
2006033615.tif 000009
【図８】
2006033615.tif 000010
【図９】
2006033615.tif 000011
【図１０】
2006033615.tif 000012
【図１１】
2006033615.tif 000013
【図１２】
2006033615.tif 000014
【図１３】
2006033615.tif 000015